(57)【特許請求の範囲】
【請求項１】
複数のマガジンを多段に収納可能なマガジン収納棚を設け、このマガジン収納棚の隣りにマガジン内のディスク配列方向に移動自在なローディング手段を設け、このローディング手段によって前記各マガジン内の各ディスクを取出し／戻し可能に構成したディスクチェンジャー装置において、
前記ローディング手段は、ディスクを取出し／戻し可能にしたローディングローラと、このローディングローラの少なくとも弾性ローラ部分を軸方向のほぼ中央部で二分割し、この二分割した間に設けられ、前記各マガジン内のディスクが取出し／戻しされたことを検出するセンサと、
を備えたことを特徴とするディスクチェンジャー装置。
【請求項２】
前記センサはフォトセンサであり、このフォトセンサの近傍には、外乱光を遮光するための遮光部材を設けたことを特徴とする請求項１記載のディスクチェンジャー装置。
【発明の詳細な説明】
【０００１】
【産業上の利用分野】
本発明は、マガジン収納棚に複数のマガジンを多段に収納可能にした多連装式のディスクチェンジャー装置に関する。
【０００２】
【従来の技術】
一般に、図６に示すように、マガジンＭを収納可能なマガジン収納棚１０１を設け、このマガジン収納棚１０１の隣りに、昇降自在なローディング手段１０３を設け、このローディング手段１０３によってマガジンＭ内の各ディスクＤを取出し／戻し可能にした、例えば、車載用の多連装式ディスクチェンジャー装置は知られている。この種のものでは、上述したマガジン収納棚１０１の上下に、フォトセンサ１０５と発光体１０７とが設けられる。そして、このフォトセンサ１０５によって、マガジンＭ内の各ディスクＤが正確に取出し／戻しされたか否かを検出している。参照符号１０９はローディング手段１０３に内蔵されるローディングローラである。
【０００３】
ところで、近年では、マガジン収納棚１０１に複数のマガジンＭを多段に収納するディスクチェンジャー装置が提案されている。この種のものでは、マガジンＭに例えば６枚のディスクＤが収納されるとすれば、マガジンＭの個数×６枚のディスクＤが収納されることになり、従来のものに比べて収容効率に優れたディスクチェンジャー装置となる。
【０００４】
【発明が解決しようとする課題】
しかしながら、複数のマガジンＭを多段に収納するとなれば、マガジン収納棚１０１の高さが高くなるのが一般的である。マガジン収納棚１０１の高さが高くなると、その分だけフォトセンサ１０５と発光体１０７との距離が長くなるので、ディスクＤの検出に誤動作が生じ易くなるという問題がある。
また、複数のマガジンＭを収納可能なマガジン収納棚１０１にあっては、いずれかのマガジンＭが未装着で操作されるときに、この未装着の部分に空間ができて、その空間から外乱光が侵入して、上述のフォトセンサ１０５が誤動作を起こし易くなるという問題がある。
【０００５】
そこで、本発明の目的は、上述した従来の技術が有する問題点を解消し、複数のマガジンを収納するものにおいて、センサが誤動作しにくいディスクチェンジャー装置を提供することにある。
【０００６】
【課題を解決するための手段】
請求項１記載の発明は、複数のマガジンを収納するマガジン収納棚を設け、このマガジン収納棚の隣りに昇降するローディング手段を設け、このローディング手段によって前記各マガジン内の各ディスクを取出し／戻し可能に構成したディスクチェンジャー装置において、前記ローディング手段は、ディスクを取出し／戻し可能にしたローディングローラと、このローディングローラの少なくとも弾性ローラ部分を軸方向のほぼ中央部で二分割し、この二分割した間に設けられ、前記各マガジン内のディスクが取出し／戻しされたことを検出するセンサと、を備えたことを特徴とするものである。
【０００７】
請求項２記載の発明は、請求項１記載のものにおいて、センサはフォトセンサであり、このフォトセンサの近傍には、外乱光を遮光するための遮光部材を設けたことを特徴とするものである。
【０００９】
【作用】
請求項１に記載の発明によれば、各マガジン内のディスクが取出し／戻しされたことを検出するセンサを、昇降するローディング手段に設けたので、マガジン収納棚が多段になったとしても、このマガジン収納棚の高さにかかわりなく、例えば、センサと発光体との距離は短く設定することができる。したがって、誤検出は少なくなり、ディスクの取出し／戻しは正確に検出される。
さらにローディングローラの少なくとも弾性ローラ部分を軸方向のほぼ中央部で二分割し、この二分割した間にセンサを設けているので、ローディング手段の高さを小さくすることができる。
【００１０】
請求項２に記載の発明によれば、フォトセンサの近傍に、外乱光を遮光するための遮光部材を設けているので、かりにフォトセンサの近傍に外乱光が侵入したとしても、その外乱光は遮光され、誤検出は少なくなる。したがって、ディスクの取出し／戻しは更に正確に検出される。
【００１２】
【実施例】
以下、本発明によるディスクチェンジャー装置の一実施例を添付の図面を参照して説明する。
第一の実施例
図１において、参照符号１はディスクチェンジャー装置を示している。このディスクチェンジャー装置１は、本体３と正面カバー５とを有し、この正面カバー５は本体３の前面を図中で左右にスライド可能になっている。図１では正面カバー５は本体３の右半部を覆っており、この本体３の左半部にはマガジン収納棚１１が設けられている。このマガジン収納棚１１は上下三段に仕切られており、それぞれの段１１ａ，１１ｂ，１１ｃにはそれぞれマガジンＭが収納可能になっている。それぞれのマガジンＭには各６枚のディスクＤが収納可能であり、これによればこの装置ではマガジンＭの個数×６枚＝１８枚のディスクＤが収納可能になっている。尚、図１の例では、マガジンＭは最下段１１ａ、及び最上段１１ｃに装着されて、中央段１１ｂには装着されていない。
【００１３】
本体３の構成を簡単に説明すると、マガジン収納棚１１の下側にはイジェクトボタンＥ１〜Ｅ３が設けられ、それぞれのイジェクトボタンＥ１〜Ｅ３はそれぞれの段１１ａ，１１ｂ，１１ｃに対応し、例えば、イジェクトボタンＥ１を押すと、最下段１１ａのマガジンＭが排出される。また、正面カバー５が覆っている本体３の右半部には操作パネル１３が設けられ、この操作パネル１３にはインジケータ１５が設けられる。尚、図１においてこのインジケータ１５は正面カバー５に設けられた窓１７を通じて視認される。この図１においてインジケータ１５の指標ＳはＥ３の符号を指しているが、これは最上段１１ｃのマガジンＭがイジェクト操作位置にあることを示している。１９は取っ手である。
【００１４】
図２を参照して、マガジン収納棚１１の隣にはローディング手段２１が設けられている。このローディング手段２１はマガジン収納棚１１の最下段１１ａから最上段１１ｃに至る間を昇降自在、すなわち、マガシン内のディスク配列方向に移動自在になっている。
このローディング手段２１には、上下二本のローディングローラ２３，２５とディスクプレーヤ（図示せず）とが設けられ、このディスクプレーヤはそれぞれ図示を省略したターンテーブルと、回転するディスク上の信号を検出するピックアップとを有している。そして、このピックアップの動作によって音響あるいは映像などをディスクＤに記録、再生している。
【００１５】
しかして、この実施例によれば、ローディング手段２１の上下に、マガジンＭ内のディスクＤが取出し／戻しされたことを検出するフォトセンサ３１と発光体３３とが設けられている。
【００１６】
次に、第一の実施例の作用を説明する。
図２において、まず、最下段１１ａのマガジンＭ内に収容されたディスクＤが指定されて、そのディスクＤの取出し信号が出力されると、ローディング手段２１が昇降して、このローディング手段２１は、ディスクＤの取出し／戻し可能な位置に動かされる。次に、マガジンＭ内の図示を省略した機構を通じてディスクＤがマガジンＭの外にわずかに押し出される。
【００１７】
この押し出されたディスクＤはローディング手段２１のローディングローラ２３，２５間に挟み込まれ、このローディングローラ２３，２５によってローディング手段２１の内部に送り込まれる。
ディスクＤがマガジンＭの外にわずかに押し出されたときには、フォトセンサ３１が動作して、ディスクＤの取出し／戻しが検出される。すなわち、フォトセンサ３１は常に発光体３３からの光を受けており、その光路上をディスクＤが通ると、光が遮られてディスクＤの取出し／戻しが検出される。このセンサ３１は具体的には、マガジンＭ内に実際にディスクＤが装着されているか否か、或いはマガジンＭから引き出されたディスクＤが正常にマガジンＭ内に戻されたか否かなどを検出するのに利用される。このディスクＤの取出し／戻しを検出し、この検出信号をいずれの制御に利用するかについては従来と同じであるので説明を省略する。
【００１８】
この第一の実施例によれば、昇降する側のローディング手段２１にフォトセンサ３１を設けているので、固定側のマガジン収納棚１１の高さにかかわりなく、このフォトセンサ３１と発光体３３との距離Ｌを、従来のものとほぼ同様に短くすることができる。フォトセンサ３１と発光体３３との距離Ｌを短くできるので、その分だけディスクＤの正確な検出が可能になる。
第二の実施例
図２においては、マガジン収納棚１１の中央段１１ｂにはマガジンＭが装着されていない。そのために中央段１１ｂには空間（斜線部）ができ、図示されないマガジン挿入口及びこの空間を通じて外乱光が侵入し、フォトセンサ３１の誤動作につながる。
図３を参照して、この第二の実施例では、上記の空間を通じて侵入する外乱光を遮光するための遮光部材３５が設けられる。
この遮光部材３５は、フォトセンサ３１に外乱光が侵入しないように、フォトセンサ３１の近傍に設けられる。
第三の実施例
図４ａ，ｂを参照し、上部のローディングローラ１２３は軸方向のほぼ中央部で二分割され、この二分割されたローラ部１２３ａ，１２３ｂ間には所定の空間１３０がつくられる。この空間１３０内にはフォトセンサ３１が配置される。
【００１９】
この第三の実施例によれば、空間１３０内にフォトセンサ３１が配置されるので、図４ｂに示すように、装置を側面から見たとき、ローディングローラ１２３とフォトセンサ３１とが重なり合い、その分だけローディング手段２１の高Ｈさを小さくすることができる。これによれば、ローディング手段２１が高さ方向にコンパクトになるとともに、フォトセンサ３１と発光体３３との距離Ｌが更に短くなるので、ディスクＤの正確な検出が可能になる。また、ローディング手段２１の奥行き（ディスク搬送方向の長さ）も短くなる。
第四の実施例
第三の実施例とほぼ同様の効果を得るために、図５に示すように、ローディングローラ２２３の弾性ローラ部分２２３Ａだけを軸方向のほぼ中央部で二分割し、この二分割した弾性ローラ部分２２３ａ，２２３ｂの間にフォトセンサ３１を設けてもよい。これによれば、第三の実施例と同様に、ローディング手段２１が高さ方向及び奥行き方向にコンパクトになるとともに、フォトセンサ３１と発光体３３との距離Ｌが更に短くなるので、ディスクＤの正確な検出が可能になる。
【００２０】
【発明の効果】
請求項１に記載の発明によれば、各マガジン内のディスクが取出し／戻しされたことを検出するセンサを、昇降するローディング手段に設けたので、マガジン収納棚が多段になったとしても、このマガジン収納棚の高さにかかわりなく、例えば、センサと発光体との距離を短くできるので、誤検出が少なくなり、ディスクを正確に検出することができる。
さらにローディングローラの少なくとも弾性ローラ部分を軸方向のほぼ中央部で二分割し、この二分割した間にセンサを設けたので、ローディング手段の高さを小さくすることができ、コンパクト化を図ることができる。
【００２１】
請求項２に記載の発明によれば、フォトセンサの近傍に、外乱光を遮光するための遮光部材を設けたので、外乱光による誤検出が少なくなり、更にディスクを正確に検出することができる。
【図面の簡単な説明】
【図１】本発明によるディスクチェンジャー装置の一実施例を示す正面図である。
【図２】同じく一実施例の要部を示す図である。
【図３】別の実施例の要部を示す図である。
【図４】更に別の実施例の要部を示す図である。
【図５】更に別の実施例の要部を示す斜視図である。
【図６】従来のディスクチェンジャー装置の一例を示す図である。
【符号の説明】
１  ディスクチェンジャー装置
１１  マガジン収納棚
１１ａ，１１ｂ，１１ｃ  段部
２１  ローディング手段
２３，２５  ローディングローラ
１２３  ローディングローラ
２２３  ローディングローラ
３１  フォトセンサ
３３  発光体
Ｄ  ディスク
Ｍ  マガジン
【図１】
0003561044.tif 000002
【図２】
0003561044.tif 000003
【図３】
0003561044.tif 000004
【図４】
0003561044.tif 000005
【図５】
0003561044.tif 000006
【図６】
0003561044.tif 000007